(57)【特許請求の範囲】
【請求項１】
表示画面を有したディスプレイと、
前記ディスプレイを前記表示画面とは反対側から覆うベース壁と、前記表示画面が向く第１方向に前記ベース壁から突出し前記第１方向と交差する第２方向に間隔を空けて並べられるとともに前記第１方向および前記第２方向と交差する第３方向に延び、互いの間に前記ディスプレイが配置された二つの第１立壁と、前記第１方向に前記ベース壁から突出し前記第３方向に間隔を空けて並べられるとともに前記第２方向に延び、互いの間に前記ディスプレイが配置された二つの第２立壁と、を有した第１部材と、
前記第２方向に間隔を空けて並べられるとともに前記第３方向に延び、前記二つの第１立壁の前記第１方向側に位置し、互いの間から前記表示画面が露出する二つの第１壁と、前記第３方向に間隔を空けて並べられるとともに前記第２方向に延び、前記二つの第２立壁の前記第１方向側に位置し、互いの間から前記表示画面が露出する二つの第２壁と、を有した第２部材と、
を備え、
前記第１部材は、前記二つの第１立壁のそれぞれに部分的に設けられた第１受部と、前記二つの第２立壁のうち前記第３方向側の前記第２立壁に設けられた第２受部と、を有し、
前記第２部材は、前記二つの前記第１壁のそれぞれに部分的に設けられ前記第１受部に前記第１方向の反対方向側から引っ掛かる第１引掛部と、前記二つの前記第２壁のうち前記第３方向側の前記第２壁に設けられ前記第２受部に前記第１方向の反対方向側から引っ掛かる第２引掛部と、前記第１引掛部を有した第１部分と、前記第２引掛部を有し前記第１部分と離間した第２部分と、エラストマによって構成され前記第２方向に延び前記第１部分と前記第２部分とを接続した接続部と、を有し、
前記第１受部に対して前記第１引掛部が前記第３方向にずれ前記第１部分が前記二つの第１立壁に前記第１方向側から重ねられた状態かつ前記第２部分が前記第１部分に対して前記接続部を介して前記第１方向に曲げられた状態から、前記第２部材が第１部材に対して前記第３方向の反対方向にスライド移動されて前記第１受部と前記第１引掛部とが前記第１方向に重ねられ、前記第２部分が前記第１部分に対して前記第１方向の反対方向に曲げられて前記第２受部に第２引掛部が引っ掛けられることにより、前記第２部材を前記第１部材に取付可能であり、
前記第１部分と前記接続部と前記第２部分とが前記第３方向に並んだ状態で、前記接続部が前記第１部分と前記第２部分との間に位置する、表示装置。
【請求項２】
前記第２部材には、前記二つの第１壁と前記二つの第２壁とによって囲まれ前記表示画面を露出させた開口部が設けられており、
前記接続部は、前記二つの第１立壁のそれぞれにおいて前記二つの前記第２立壁のうち前記第３方向側の前記第２立壁寄りに設けられ前記開口部に面した、請求項１に記載の表示装置。
【請求項３】
前記第１部材と前記第２部材との一方には、前記第３方向に延びた凹部が設けられ、
前記第１部材と前記第２部材との他方には、前記第３方向に延び前記凹部に嵌められた凸部が設けられた、請求項１または２に記載の表示装置。
【請求項４】
ディスプレイの表示画面が向く第１方向と交差する第２方向に間隔を空けて並べられるとともに前記第１方向および前記第２方向と交差する第３方向に延び、互いに間から前記表示画面が露出する二つの第１壁と、
前記第３方向に間隔を空けて並べられるとともに前記第２方向に延び、互いの間から前記表示画面が露出する二つの第２壁と、
前記二つの第１壁と前記二つの第１壁のうち前記第３方向とは反対側の前記第２壁を含み、前記第１壁と離間した第１部分と、
前記二つの第１壁のうち前記第３方向側の前記第２壁の少なくとも一部を含む第２部分と、
エラストマによって構成され前記第１部分と前記第２部分とを接続した接続部と、
を備え、
前記第１部分と前記接続部と前記第２部分とが前記第３方向に並んだ状態で、前記接続部が前記第１部分と前記第２部分との間に位置する、表示装置用部材。
【発明の詳細な説明】
【技術分野】
【０００１】
本発明は、表示装置および表示装置用部材に関する。
【背景技術】
【０００２】
従来、表示画面を有したディスプレイと、ディスプレイを表示画面とは反対側から覆うリヤカバーと、表示画面を露出させるフロントカバーと、を備えた表示装置が知られている。この種の表示装置では、フロントカバーがリヤカバーに対してスライド移動によって組み合わされた状態で、フロントカバーがネジ等の固定用部材によってリヤカバーに固定されるものがある。
【先行技術文献】
【特許文献】
【０００３】
【特許文献１】特開２０１９−２８１５７号公報
【発明の概要】
【発明が解決しようとする課題】
【０００４】
しかしながら、上記従来技術では、例えば、リヤカバーとフロントカバーとが、ネジ等の固定具によって固定されているため、部品点数が多くなりやすい。
【０００５】
そこで、本発明の課題の一つは、部品点数を少なくしやすい表示装置および表示装置用部材を得ることである。
【課題を解決するための手段】
【０００６】
本発明の第１態様にかかる表示装置は、表示画面を有したディスプレイと、前記ディスプレイを前記表示画面とは反対側から覆うベース壁と、前記表示画面が向く第１方向に前記ベース壁から突出し前記第１方向と交差する第２方向に間隔を空けて並べられるとともに前記第１方向および前記第２方向と交差する第３方向に延び、互いの間に前記ディスプレイが配置された二つの第１立壁と、前記第１方向に前記ベース壁から突出し前記第３方向に間隔を空けて並べられるとともに前記第２方向に延び、互いの間に前記ディスプレイが配置された二つの第２立壁と、を有した第１部材と、前記第２方向に間隔を空けて並べられるとともに前記第３方向に延び、前記二つの第１立壁の前記第１方向側に位置し、互いの間から前記表示画面が露出する二つの第１壁と、前記第３方向に間隔を空けて並べられるとともに前記第２方向に延び、前記二つの第２立壁の前記第１方向側に位置し、互いの間から前記表示画面が露出する二つの第２壁と、を有した第２部材と、を備え、前記第１部材は、前記二つの第１立壁のそれぞれに部分的に設けられた第１受部と、前記二つの第２立壁のうち前記第３方向側の前記第２立壁に設けられた第２受部と、を有し、前記第２部材は、前記二つの前記第１壁のそれぞれに部分的に設けられ前記第１受部に前記第１方向の反対方向側から引っ掛かる第１引掛部と、前記二つの前記第２壁のうち前記第３方向側の前記第２壁に設けられ前記第２受部に前記第１方向の反対方向側から引っ掛かる第２引掛部と、前記第１引掛部を有した第１部分と、前記第２引掛部を有し前記第１部分と離間した第２部分と、エラストマによって構成され前記第２方向に延び前記第１部分と前記第２部分とを接続した接続部と、を有し、前記第１受部に対して前記第１引掛部が前記第３方向にずれ前記第１部分が前記二つの第１立壁に前記第１方向側から重ねられた状態かつ前記第２部分が前記第１部分に対して前記接続部を介して前記第１方向に曲げられた状態から、前記第２部材が第１部材に対して前記第３方向の反対方向にスライド移動されて前記第１受部と前記第１引掛部とが前記第１方向に重ねられ、前記第２部分が前記第１部分に対して前記第１方向の反対方向に曲げられて前記第２受部に第２引掛部が引っ掛けられることにより、前記第２部材を前記第１部材に取付可能であり、前記第１部分と前記接続部と前記第２部分とが前記第３方向に並んだ状態で、前記接続部が前記第１部分と前記第２部分との間に位置する。
【０００７】
前記表示装置では、例えば、前記第２部材には、前記二つの第１壁と前記二つの第２壁とによって囲まれ前記表示画面を露出させた開口部が設けられており、前記接続部は、前記二つの第１立壁のそれぞれにおいて前記二つの前記第２立壁のうち前記第３方向側の前記第２立壁寄りに設けられ前記開口部に面している。
【０００８】
前記表示装置では、例えば、前記第１部材と前記第２部材との一方には、前記第３方向に延びた凹部が設けられ、前記第１部材と前記第２部材との他方には、前記第３方向に延び前記凹部に嵌められた凸部が設けられている。
【０００９】
本発明の第２態様にかかる表示装置用部材は、ディスプレイの表示画面が向く第１方向と交差する第２方向に間隔を空けて並べられるとともに前記第１方向および前記第２方向と交差する第３方向に延び、互いに間から前記表示画面が露出する二つの第１壁と、前記第３方向に間隔を空けて並べられるとともに前記第２方向に延び、互いの間から前記表示画面が露出する二つの第２壁と、前記二つの第１壁と前記二つの第１壁のうち前記第３方向とは反対側の前記第２壁を含み、前記第１壁と離間した第１部分と、前記二つの第１壁のうち前記第３方向側の前記第２壁の少なくとも一部を含む第２部分と、エラストマによって構成され前記第１部分と前記第２部分とを接続した接続部と、を備え、前記第１部分と前記接続部と前記第２部分とが前記第３方向に並んだ状態で、前記接続部が前記第１部分と前記第２部分との間に位置する。
【発明の効果】
【００１０】
本発明の上記態様によれば、部品点数を少なくしやすい表示装置および表示装置用部材を得ることができる。
【図面の簡単な説明】
【００１１】
【図１】図１は、実施形態の電子機器の正面側からの例示的な斜視図であって、電子機器が展開位置に位置された状態の図である。
【図２】図２は、実施形態の第２モジュールの正面側からの例示的な斜視図である。
【図３】図３は、実施形態の第２モジュールの正面側からの例示的な分解正面図である。
【図４】図４は、実施形態の第２モジュールの一部の正面側からの例示的な斜視図である。
【図５】図５は、実施形態の第２モジュールの一部の正面側からの例示的な斜視図である。
【図６】図６は、実施形態の第２モジュールにおけるリヤカバーの正面側からの例示的な斜視図である。
【図７】図７は、実施形態の第２モジュールにおけるリヤカバーの背面側からの例示的な斜視図である。
【図８】図８は、実施形態の第２モジュールにおけるフロントカバーの正面側からの例示的な斜視図である。
【図９】図９は、実施形態の第２モジュールにおけるフロントカバーの背面側からの例示的な斜視図である。
【図１０】図１０は、図２のX部の例示的な拡大図である。
【図１１】図１１は、図８のXI-XI線に沿った断面の一部を示す例示的な断面図である。
【図１２】図１２は、図４のXII部の例示的な拡大図である。
【図１３】図１３は、図５のXIII部の例示的な拡大図である。
【図１４】図１４は、実施形態の第２モジュールの組立工程を例示的に示す図である。
【図１５】図１５は、実施形態の第２モジュールの組立工程を例示的に示す図であって、図１４の工程の後工程を示す図である。
【図１６】図１６は、実施形態の第１変形例のフロントカバーの例示的な断面図である。
【図１７】図１７は、実施形態の第２変形例のフロントカバーの例示的な断面図である。
【発明を実施するための形態】
【００１２】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１３】
なお、本明細書では、序数は、部品や、部材、部位、位置、方向等を区別するためだけに用いられており、順番や優先度を示すものではない。
【００１４】
図１は、実施形態の電子機器１の正面側からの例示的な斜視図であって、第２モジュール３が展開位置に位置された状態の図である。
【００１５】
図１に示されるように、電子機器１は、例えば、ノートブック型（クラムシェル型）のパーソナルコンピュータとして構成され、第１モジュール２と、第２モジュール３と、を備えている。第１モジュール２は、例えば机や、台、棚等の載置部に載置される。第２モジュール３は、第１モジュール２に対して回転中心軸Ｃ回りに回転可能に第１モジュール２に支持され、展開位置（図１）と閉じ位置（不図示）との間を移動可能である。具体的には、第２モジュール３は、ヒンジ５を介して第１モジュール２に連結されている。なお、電子機器１は、上記例には限定されず、例えば、デスクトップ型のパーソナルコンピュータや、スレート型（タブレット型）のパーソナルコンピュータ、スマートフォン、携帯電話、映像表示装置、テレビジョン受像機、ゲーム機等であってもよい。
【００１６】
なお、本実施形態では、便宜上、方向が定義されている。Ｘ１方向は、第１モジュール２の前後方向の前方と同じである。Ｘ２方向は、Ｘ１方向の反対方向であって、第１モジュール２の前後方向の後方と同じである。Ｙ１方向は、第１モジュール２の幅方向（左右方向、長手方向）に沿う方向である。Ｙ２方向は、Ｙ１方向の反対方向である。Ｙ１方向は左方、Ｙ２は右方とも称される。Ｚ１方向は、第１モジュール２の高さ方向（上下方向の上方）と同じである。Ｚ２方向は、Ｚ１方向の反対方向である。Ｘ１方向、Ｙ１方向、およびＺ１方向は、互いに直交している。また、Ｘ２方向、Ｙ２方向、およびＺ２方向は、互いに直交している。Ｘ１方向は、第１方向の一例であり、Ｙ１方向は、第２方向の一例であり、Ｚ１方向は、第３方向の一例である。
【００１７】
第１モジュール２は、第１筐体１１と、第１筐体１１に支持されたキーボード１２と、を有している。キーボード１２は、上方から操作可能な状態に第１筐体１１に支持されている。また、第１筐体１１内には、基板（不図示）が収容されている。基板には、ＣＰＵ（Central  Processing  Unit）や、ＲＯＭ（Read  Only  Memory）、ＲＡＭ（Random  Access  Memory）等の複数の電子部品（不図示）が実装されている。基板に設けられた配線と基板に実装された複数の電子部品とによって、電子機器１の電子回路の少なくとも一部が構成されている。
【００１８】
第２モジュール３は、第２筐体２１と、ディスプレイ２２と、タッチパネル２５と、を有している。ディスプレイ２２は、例えば、液晶ディスプレイである。なお、ディスプレイ２２は、液晶ディスプレイに限られない。例えば、ディスプレイ２２は、有機ＥＬ（Electro  Luminescence）ディスプレイ等であってもよい。ディスプレイ２２は、表示画面２２ａが前方から視認可能な状態に、第２筐体２１に支持されている。表示画面２２ａは、当該表示画面２２ａ中の表示領域において画像を表示する。また、タッチパネル２５は、ディスプレイ２２の表示画面２２ａを覆った状態でディスプレイ２２に固定されている。なお、タッチパネル２５は、設けられていなくてもよい。
【００１９】
第２モジュール３が展開位置（図１）に位置した状態では、第１筐体１１の上面１１ａおよびキーボード１２と、第２筐体２１の前面２１ａおよびディスプレイ２２の表示画面２２ａとが対向せず、第１筐体１１の上面１１ａ、キーボード１２、第２筐体２１の前面２１ａ、ディスプレイ２２の表示画面２２ａが露出する。このとき、第２筐体２１の前面２１ａおよび後面２１ｂは、それぞれ、前方および後方を向く。
【００２０】
一方、第２モジュール３が閉じ位置（不図示）に位置した状態では、第１筐体１１の上面１１ａおよびキーボード１２と、第２筐体２１の前面２１ａおよびディスプレイ２２の表示画面２２ａとが対向する。
【００２１】
次に、第２モジュール３の第２筐体２１について詳細に説明する。以下の説明では、特に言及しない限り、第２筐体２１の姿勢は、表示画面２２ａがＸ１方向を向いた姿勢である。
【００２２】
図２は、実施形態の第２モジュール３の正面側からの例示的な斜視図である。図１および図２に示されるように、第２筐体２１は、扁平な略直方体に形成されている。第２筐体２１は、例えば、前壁２１ｃや、後壁２１ｄ、下壁２１ｅ、上壁２１ｆ、左壁２１ｇ、右壁２１ｈ等の複数の壁を有している。
【００２３】
前壁２１ｃは、前面２１ａを含み、後壁２１ｄは、後面２１ｂを含む。
【００２４】
下壁２１ｅおよび上壁２１ｆは、それぞれ、第２筐体２１の下端部２１ｉおよび上端部２１ｊを構成している。上端部２１ｊは、回転中心軸Ｃと離間している。下端部２１ｉは、上端部２１ｊに対して回転中心軸Ｃ側に設けられている。
【００２５】
左壁２１ｇおよび右壁２１ｈは、それぞれ、第２筐体２１の左端部２１ｋおよび右端部２１ｍを構成している。
【００２６】
図３は、実施形態の第２モジュール３の正面側からの例示的な分解正面図である。図４は、実施形態の第２モジュール３の一部の正面側からの例示的な斜視図である。図５は、実施形態の第２モジュール３の一部の正面側からの例示的な斜視図である。
【００２７】
図２〜図５に示されるように、第２筐体２１は、フロントカバー２３と、リヤカバー２４と、を有する。フロントカバー２３とリヤカバー２４とは、互いに別部材（別部品）である。フロントカバー２３は、少なくとも前壁２１ｃを含み、矩形枠状に形成されている。リヤカバー２４は、少なくとも後壁２１ｄを含む。フロントカバー２３は、リヤカバー２４に固定されている。フロントカバー２３とリヤカバー２４との間の空間Ｓにディスプレイ２２の縁部２２ｂ（図１）が収容されている。なお、図２〜図５では、ディスプレイ２２の図示は省略されている。フロントカバー２３は、第２部材および表示装置用部材の一例である。リヤカバー２４は、第１部材の一例である。
【００２８】
図６は、実施形態の第２モジュール３におけるリヤカバー２４の正面側からの例示的な斜視図である。図７は、実施形態の第２モジュール３におけるリヤカバー２４の背面側からの例示的な斜視図である。
【００２９】
図６および図７に示されるように、リヤカバー２４は、後壁２１ｄと、下立壁２４ｅと、上立壁２４ｆと、左立壁２４ｇと、右立壁２４ｈと、を有している。後壁２１ｄは、ディスプレイ２２を表示画面２２ａとは反対側から覆う。後壁２１ｄは、ベース壁の一例である。
【００３０】
下立壁２４ｅおよび上立壁２４ｆは、それぞれ、第２筐体２１の下壁２１ｅおよび上壁２１ｆを構成している。下立壁２４ｅおよび上立壁２４ｆは、表示画面２２ａが向くＸ１方向に後壁２１ｄから突出している。下立壁２４ｅおよび上立壁２４ｆは、Ｚ１方向に間隔を空けて並べられるとともにＹ１方向に延びている。下立壁２４ｅおよび上立壁２４ｆの間にディスプレイ２２が配置されている。下立壁２４ｅおよび上立壁２４ｆは、二つの第２立壁の一例である。
【００３１】
左立壁２４ｇおよび右立壁２４ｈは、それぞれ、第２筐体２１の左壁２１ｇおよび右壁２１ｈを構成している。左立壁２４ｇおよび右立壁２４ｈは、Ｘ１方向に後壁２１ｄから突出している。左立壁２４ｇおよび右立壁２４ｈは、Ｙ１方向に間隔を空けて並べられ、Ｚ１方向に延びている。左立壁２４ｇおよび右立壁２４ｈの間にディスプレイ２２が配置されている。左立壁２４ｇおよび右立壁２４ｈは、二つの第１立壁の一例である。
【００３２】
図８は、実施形態の第２モジュール３におけるフロントカバー２３の正面側からの例示的な斜視図である。図９は、実施形態の第２モジュール３におけるフロントカバー２３の背面側からの例示的な斜視図である。
【００３３】
図８および図９に示されるように、フロントカバー２３は、矩形枠状のベゼル２３ｎと、ベゼル２３ｎの縁部に接続されたクッション部２３ｌと、を有する。
【００３４】
ベゼル２３ｎは、前面２３ｎａと、前面２３ｎａの反対側の後面２３ｎｂと、を有する。また、ベゼル２３ｎは、下壁２３ｅと、上壁２３ｆと、左壁２３ｇと、右壁２３ｈと、を有する。前面２３ｎａおよび後面２３ｎｂは、それぞれ、下壁２３ｅと、上壁２３ｆと、左壁２３ｇと、右壁２３ｈと、に設けられている。
【００３５】
下壁２３ｅおよび上壁２３ｆは、Ｚ１方向に間隔を空けて並べられるとともにＹ１方向に延びている。下壁２３ｅおよび上壁２３ｆは、リヤカバー２４の下立壁２４ｅおよび上立壁２４ｆにＸ１方向側から重ねられている。また、上壁２３ｆには、貫通孔２３ｆａが設けられている。貫通孔２３ｆａは、第２筐体２１に収容されたカメラのレンズ（不図示）を露出させる。貫通孔２３ｆａは、光透過性を有するカバー５２（図１）によって覆われている。下壁２３ｅおよび上壁２３ｆは、二つの第２壁の一例である。
【００３６】
左壁２３ｇおよび右壁２３ｈは、Ｙ１方向に間隔を空けて並べられるとともにＺ１方向に延び、リヤカバー２４の左立壁２４ｇおよび右立壁２４ｈにＸ１方向側から重ねられている。左壁２３ｇおよび右壁２３ｈは、下壁２３ｅおよび上壁２３ｆと接続されている。左壁２３ｇおよび右壁２３ｈは、二つの第１壁の一例である。
【００３７】
また、下壁２３ｅ、上壁２３ｆ、左壁２３ｇおよび右壁２３ｈは、表示画面２２ａを露出させる開口部２３ｏを形成しており、下壁２３ｅおよび上壁２３ｆの間および左壁２３ｇおよび右壁２３ｈの間から表示画面２２ａが露出する。すなわち、下壁２３ｅ、上壁２３ｆ、左壁２３ｇおよび右壁２３ｈは、開口部２３ｏを囲んでいる。
【００３８】
また、フロントカバー２３は、第１部分２３ｓと、第２部分２３ｔと、接続部２３ｕと、を有する。第１部分２３ｓは、下壁２３ｅと、左壁２３ｇの一部と、右壁２３ｈの一部と、を含む。第１部分２３ｓは、金属材料または合成樹脂材料によって構成されている。第２部分２３ｔは、上壁２３ｆを含む。第２部分２３ｔは、第１部分２３ｓと離間している。第２部分２３ｔの部分は、金属材料または剛性樹脂材料によって構成されている。
【００３９】
接続部２３ｕは、第１部分２３ｓと第２部分２３ｔとの間に介在し、第１部分２３ｓと第２部分２３ｔとを接続している。接続部２３ｕは、二つ設けられている。一方の接続部２３ｕは、左壁２３ｇの一部を含み、他方の接続部２３ｕは、右壁２３ｈの一部を含む。換言すると、一方の接続部２３ｕは、左壁２３ｇの一部によって構成され、他方の接続部２３ｕは、右壁２３ｈの一部によって構成されている。接続部２３ｕは、左壁２３ｇおよび右壁２３ｈのそれぞれにおいて下立壁２４ｅおよび上立壁２４ｆのうちＺ１方向側の壁である上立壁２４ｆ寄りに設けられている。接続部２３ｕは、エラストマによって構成されている。すなわち、接続部２３ｕの材料は、第１部分２３ｓの材料および第２部分２３ｔの材料と異なる。接続部２３ｕは、弾性変形可能である。
【００４０】
図１０は、図２のX部の例示的な拡大図である。図１１は、図８のXI-XI線に沿った断面の一部を示す例示的な断面図である。図１０に示されるように、接続部２３ｕは、Ｙ１方向に延びている。図１１に示されるように、接続部２３ｕにおけるＹ１方向と直交する断面は、四角形である。
【００４１】
図８に示されるように、クッション部２３ｌは、第１部分２３ｓと第２部分２３ｔと接続部２３ｕとに亘って設けられている。クッション部２３ｌは、エラストマによって構成されて、弾性変形可能である。
【００４２】
第１部分２３ｓ、第２部分２３ｔ、接続部２３ｕ、およびクッション部２３ｌは、例えば、二色成形や３Ｄプリンタ等によって一体に形成される。なお、クッション部２３ｌは、第１部分２３ｓ、第２部分２３ｔ、および接続部２３ｕと別品であってもよい。また、クッション部２３ｌは、設けられていなくてもよい。
【００４３】
次に、リヤカバー２４とフロントカバー２３との結合構造について説明する。図６に示されるように、リヤカバー２４は、複数の第１受部２４ｐと、複数の第２受部２４ｑと、複数の第３受部２４ｒと、を有する。
【００４４】
複数の第１受部２４ｐが左立壁２４ｇおよび右立壁２４ｈのそれぞれに設けられている。すなわち、左立壁２４ｇおよび右立壁２４ｈのそれぞれに第１受部２４ｐが部分的に設けられている。左立壁２４ｇおよび右立壁２４ｈのそれぞれに設けられた複数の第１受部２４ｐは、Ｚ１方向に互いに間隔を空けて並べられている。第１受部２４ｐは、左立壁２４ｇの内面または右立壁２４ｈの内面に設けられている。左立壁２４ｇに設けられた第１受部２４ｐと右立壁２４ｈに設けられた第１受部２４ｐとは、左立壁２４ｇと右立壁２４ｈとの中間に位置しＹ１方向と直交する平面（不図示）に関して対称形状である。
【００４５】
左立壁２４ｇおよび右立壁２４ｈに設けられた第１受部２４ｐの代表として右立壁２４ｈに設けられた第１受部２４ｐを図１２を参照して説明する。図１２は、図４のXII部の例示的な拡大図である。図１２に示されるように、第１受部２４ｐは、右立壁２４ｈの内面から第２筐体２１の内方、具体的にはＹ１方向に突出している。第１受部２４ｐは、Ｘ２方向を向いた受面２４ｐａを有する。
【００４６】
図６に示されるように、複数の第２受部２４ｑが上立壁２４ｆに設けられている。すなわち、上立壁２４ｆに第２受部２４ｑが部分的に設けられている。複数の第２受部２４ｑは、Ｙ１方向に互いに間隔を空けて並べられている。第２受部２４ｑは、上立壁２４ｆの内面に設けられている。
【００４７】
図１３は、図５のXIII部の例示的な拡大図である。図１３に示されるように、第２受部２４ｑは、上立壁２４ｆの内面から第２筐体２１の内方、具体的にはＺ２方向に突出している。第２受部２４ｑは、Ｘ２方向を向いた受面２４ｑａを有する。また、第２受部２４ｑのＸ１方向の端部には、ガイド面２４ｑｂが設けられている。ガイド面２４ｑｂは、Ｘ２方向に向かうにつれてＺ２方向に向かうようにＸ２方向に対して傾斜している。
【００４８】
図６に示されるように、複数の第３受部２４ｒが下立壁２４ｅに設けられている。すなわち、下立壁２４ｅに第３受部２４ｒが部分的に設けられている。複数の第３受部２４ｒは、Ｙ１方向に互いに間隔を空けて並べられている。第３受部２４ｒは、下立壁２４ｅの内面に設けられている。
【００４９】
図９に示されるように、フロントカバー２３は、複数の第１引掛部２３ｐと、複数の第２引掛部２３ｑと、複数の第３引掛部２３ｒと、を有する。
【００５０】
複数の第１引掛部２３ｐが左壁２３ｇおよび右壁２３ｈのそれぞれに設けられている。すなわち、左壁２３ｇおよび右壁２３ｈのそれぞれに第１引掛部２３ｐが部分的に設けられている。左壁２３ｇおよび右壁２３ｈのそれぞれに設けられた複数の第１引掛部２３ｐは、Ｚ１方向に互いに間隔を空けて並べられている。第１引掛部２３ｐは、左壁２３ｇの後面２３ｎｂまたは右壁２３ｈの後面２３ｎｂに設けられている。左壁２３ｇに設けられた第１引掛部２３ｐと右壁２３ｈに設けられた第１引掛部２３ｐとは、左壁２３ｇと右壁２３ｈとの中間に位置しＹ１方向と直交する平面（不図示）に関して対称形状である。
【００５１】
左壁２３ｇおよび右壁２３ｈに設けられた第１引掛部２３ｐの代表として右壁２３ｈに設けられた第１引掛部２３ｐを図１２を参照して説明する。図１２に示されるように、第１引掛部２３ｐは、右壁２３ｈの後面２３ｎｂから第２筐体２１の内方、具体的にはＸ２方向に突出している。第１引掛部２３ｐは、アーム部２３ｐａと、張出部２３ｐｂと、を有している。アーム部２３ｐａは、右壁２３ｈの後面２３ｎｂからＸ２方向に突出している。張出部２３ｐｂは、アーム部２３ｐａのＸ２方向の端部からＹ２方向に張り出している。張出部２３ｐｂは、Ｘ１方向を向いた面２３ｐｃを有する。張出部２３ｐｂは、リヤカバー２４の第１受部２４ｐにＸ２方向側から引っ掛かる。詳細には、張出部２３ｐｂの面２３ｐｃが、第１受部２４ｐの受面２４ｐａと接触する。第１引掛部２３ｐは、第１受部２４ｐによってＸ１方向への移動を制限されている。第１引掛部２３ｐは、爪とも称される。
【００５２】
図９に示されるように、複数の第２引掛部２３ｑが上壁２３ｆに設けられている。すなわち、上壁２３ｆに第２引掛部２３ｑが部分的に設けられている。複数の第２引掛部２３ｑは、Ｙ１方向に互いに間隔を空けて並べられている。第２引掛部２３ｑは、上壁２３ｆの後面２３ｎｂに設けられている。図１３に示されるように、第２引掛部２３ｑは、上壁２３ｆの後面２３ｎｂから第２筐体２１の内方、具体的にはＸ２方向に突出している。第２引掛部２３ｑは、アーム部２３ｑａと、張出部２３ｑｂと、を有している。アーム部２３ｑａは、上壁２３ｆの後面２３ｎｂからＸ２方向に突出している。張出部２３ｑｂは、アーム部２３ｑａのＸ２方向の端部からＺ１方向に張り出している。張出部２３ｑｂは、Ｘ１方向を向いた面２３ｑｃを有する。張出部２３ｑｂは、リヤカバー２４の第２受部２４ｑにＸ２方向側から引っ掛かる。詳細には、張出部２３ｑｂの面２３ｑｃが、第２受部２４ｑの受面２４ｑａと接触する。第２引掛部２３ｑは、第２受部２４ｑによってＸ１方向への移動とＺ１方向への移動を制限されている。第２引掛部２３ｑは、弾性変形可能である。第２引掛部２３ｑは、爪とも称される。
【００５３】
図９に示されるように、複数の第３引掛部２３ｒが下壁２３ｅに設けられている。すなわち、下壁２３ｅに第３引掛部２３ｒが部分的に設けられている。複数の第３引掛部２３ｒは、Ｙ１方向に互いに間隔を空けて並べられている。第３引掛部２３ｒは、下壁２３ｅの内面に設けられている。第３引掛部２３ｒは、リヤカバー２４の第３受部２４ｒにＺ２方向側から嵌められている。第３引掛部２３ｒは、第３受部２４ｒによって、Ｘ１方向の移動とＸ２方向への移動とＺ２方向の移動とを制限されている。
【００５４】
また、図１２に示されるように、リヤカバー２４とフロントカバー２３との一方、具体的にはフロントカバー２３には、Ｚ１方向に延びた凹部２３ｖが設けられている。リヤカバー２４とフロントカバー２３との他方、具体的にはリヤカバー２４には、Ｚ１方向に延び凹部２３ｖに嵌められた凸部２４ｖが設けられている。凹部２３ｖは、右壁２３ｈおよび左壁２３ｇに設けられ、凸部２４ｖは、右立壁２４ｈおよび左立壁２４ｇに設けられている。これにより、リヤカバー２４とフロントカバー２３とのＹ１方向の相対的な位置決めがなされている。
【００５５】
次に、第２モジュール３の組立方法（第２筐体２１の組立方法）を説明する。図１４は、実施形態の第２モジュール３の組立工程を例示的に示す図である。図１５は、実施形態の第２モジュール３の組立工程を例示的に示す図であって、図１４の工程の後工程を示す図である。なお、以下では、特に図示しないが、予めリヤカバー２４にディスプレイ２２等の部品が収容されている。
【００５６】
まず、作業者は、フロントカバー２３の第２部分２３ｔを第１部分２３ｓに対して接続部２３ｕを介してＸ１方向に曲げ（図１４）、リヤカバー２４の第１受部２４ｐに対して第１引掛部２３ｐがＺ１方向にずれ第１部分２３ｓが左立壁２４ｇおよび右立壁２４ｈにＸ１方向側から重ねられた状態にする（図１５）。このとき、第１引掛部２３ｐは、当該第１引掛部２３ｐの引っ掛かり対象の第１受部２４ｐのＺ１方向側をＸ２方向に移動する。すなわち、一部の第１引掛部２３ｐは、Ｚ１方向で隣り合う二つの第１受部２４ｐの間を通過する。また、このとき、凹部２３ｖに凸部２４ｖが嵌められる。
【００５７】
次に、作業者は、フロントカバー２３をリヤカバー２４に対してＺ２方向にスライド移動させて第１受部２４ｐと第１引掛部２３ｐとをＸ１方向に重ねる。すなわち、第１受部２４ｐに第１引掛部２３ｐを引っ掛ける。このとき、凸部２４ｖによってフロントカバー２３がＺ２方向に沿って案内される。すなわち、凸部２４ｖは、ガイドレールとして機能する。このとき、フロントカバー２３の第３引掛部２３ｒがリヤカバー２４の第３受部２４ｒに突き当たることにより、リヤカバー２４に対するフロントカバー２３のスライド移動が停止される。すなわち、第３受部２４ｒは、フロントカバー２３と接触することによりフロントカバー２３のＺ２方向への移動を制限するストッパとして機能する。
【００５８】
次に、作業者は、フロントカバー２３の第２部分２３ｔを第１部分２３ｓに対してＸ２方向に曲げて第２受部２４ｑに第２引掛部２３ｑを引っ掛ける。このとき、第２引掛部２３ｑは、第２受部２４ｑのガイド面２４ｑｂによって徐々に弾性的に曲げられながらＸ２方向に進む。そして、面２３ｑｃが第２受部２４ｑを通過して時点で第２引掛部２３ｑが元形状に戻り、面２３ｑｃが受面２４ｑａと接触する。これにより、フロントカバー２３がリヤカバー２４に固定される。
【００５９】
以上のように、本実施形態では、第２モジュール３（表示装置）は、ディスプレイ２２と、リヤカバー２４（第１部材）と、フロントカバー２３（第２部材）と、を備える。ディスプレイ２２は、表示画面２２ａを有する。リヤカバー２４は、後壁２１ｄと、左立壁２４ｇおよび右立壁２４ｈ（第１立壁）と、下立壁２４ｅおよび上立壁２４ｆ（第２立壁）と、を有する。後壁２１ｄは、ディスプレイ２２を表示画面２２ａとは反対側から覆う。左立壁２４ｇおよび右立壁２４ｈは、表示画面２２ａが向くＸ１方向（第１方向）に後壁２１ｄから突出しＸ１方向と交差するＹ１方向（第２方向）に間隔を空けて並べられるとともにＸ１方向およびＹ１方向と交差するＺ１方向（第３方向）に延びている。左立壁２４ｇおよび右立壁２４ｈの間にディスプレイ２２が配置されている。下立壁２４ｅおよび上立壁２４ｆは、Ｘ１方向に後壁２１ｄから突出しＺ１方向に間隔を空けて並べられるとともにＹ１方向に延びている。下立壁２４ｅおよび上立壁２４ｆの間にディスプレイ２２が配置されている。フロントカバー２３は、左壁２３ｇおよび右壁２３ｈ（第１壁）と、下壁２３ｅおよび上壁２３ｆ（第２壁）と、を有する。左壁２３ｇおよび右壁２３ｈは、Ｙ１方向に間隔を空けて並べられるとともにＺ１方向に延び、二つの左立壁２４ｇおよび右立壁２４ｈのＸ１方向側に位置している。左壁２３ｇおよび右壁２３ｈの間から表示画面２２ａが露出する。下壁２３ｅおよび上壁２３ｆは、Ｚ１方向に間隔を空けて並べられるとともにＹ１方向に延び、下立壁２４ｅおよび上立壁２４ｆのＸ１方向側に位置している。下壁２３ｅおよび上壁２３ｆの間から表示画面２２ａが露出する。リヤカバー２４は、第１受部２４ｐと、第２受部２４ｑと、を有する。第１受部２４ｐは、左立壁２４ｇおよび右立壁２４ｈのそれぞれに部分的に設けられている。第２受部２４ｑは、下立壁２４ｅおよび上立壁２４ｆのうちＺ１方向側の壁である上立壁２４ｆに設けられている。フロントカバー２３は、第１引掛部２３ｐと、第２引掛部２３ｑと、第１部分２３ｓと、第２部分２３ｔと、接続部２３ｕと、を有する。第１引掛部２３ｐは、左壁２３ｇおよび右壁２３ｈのそれぞれに部分的に設けられ第１受部２４ｐにＸ１方向の反対方向側から引っ掛かる。第２引掛部２３ｑは、下壁２３ｅおよび上壁２３ｆのうちＺ１方向側の壁である上壁２３ｆに設けられ第２受部２４ｑにＸ１方向の反対方向側から引っ掛かる。第１部分２３ｓは、第１引掛部２３ｐを有する。第２部分２３ｔは、第２引掛部２３ｑを有し第１部分２３ｓと離間している。接続部２３ｕは、エラストマによって構成され、Ｙ１方向に延び第１部分２３ｓと第２部分２３ｔとを接続している。フロントカバー２３は、次のようにリヤカバー２４に取付可能である。すなわち、フロントカバー２３は、第１受部２４ｐに対して第１引掛部２３ｐがＺ１方向にずれ第１部分２３ｓが左立壁２４ｇおよび右立壁２４ｈにＸ１方向側から重ねられた状態かつ第２部分２３ｔが第１部分２３ｓに対して接続部２３ｕを介してＸ１方向に曲げられた状態とされる。この状態から、フロントカバー２３がリヤカバー２４に対してＺ１方向の反対方向にスライド移動されて第１受部２４ｐと第１引掛部２３ｐとがＸ１方向に重ねられる。次に、第２部分２３ｔが第１部分２３ｓに対してＸ１方向の反対方向に曲げられて第２受部２４ｑに第２引掛部２３ｑが引っ掛けられる。
【００６０】
このような構成によれば、フロントカバー２３とリヤカバー２４との結合にネジ等の固定用部材を設ける必要がないので、第２モジュール３の部品点数を少なくしやすい。また、固定用部材を設ける必要がないので、フロントカバー２３とリヤカバー２４との間の空間Ｓにケーブル等の収容部材を配置しやすい。また、第１受部２４ｐに対する第１引掛部２３ｐの引っ掛けにおいて、第１引掛部２３ｐを撓ませる必要が無いので、第１引掛部２３ｐの撓みを制限するためのリブ等を設ける必要が無い。よって、第１引掛部２３ｐの周囲にケーブル等の配置空間を確保しやすい。また、第１引掛部２３ｐを撓ませる必要が無いので、第１受部２４ｐに対する第１引掛部２３ｐの引っ掛けが外れにくい。
【００６１】
また、本実施形態では、フロントカバー２３には、左壁２３ｇおよび右壁２３ｈと下壁２３ｅおよび上壁２３ｆとによって囲まれ表示画面２２ａを露出させた開口部２３оが設けられている。接続部２３ｕは、左壁２３ｇおよび右壁２３ｈのそれぞれにおいて下立壁２４ｅおよび上立壁２４ｆのうちＺ１方向側の壁である上立壁２４ｆ寄りに設けられ開口部２３оに面している。
【００６２】
このような構成によれば、第１部分２３ｓに対して第２部分２３ｔを小さくすることができる。
【００６３】
また、本実施形態では、リヤカバー２４とフロントカバー２３との一方には、Ｚ１方向に延びた凹部２３ｖが設けられている。リヤカバー２４とフロントカバー２３との他方には、Ｚ１方向に延び凹部２３ｖに嵌められた凸部２４ｖが設けられている。
【００６４】
このような構成によれば、凹部２３ｖと凸部２４ｖとによって、リヤカバー２４とフロントカバー２３とのＹ１方向の位置決めをすることができる。
【００６５】
次に、変形例を説明する。
【００６６】
図１６は、実施形態の第１変形例のフロントカバー２３の例示的な断面図である。図１６に示すように、本変形例の接続部２３ｕは、Ｙ１方向と直交する断面がＸ１方向に向かうにつれ幅が小さくなる台形である。このような構成によれば、接続部２３ｕの前面２３ｎａを小さくしやすい。
【００６７】
図１７は、実施形態の第２変形例のフロントカバー２３の例示的な断面図である。図１７に示されるように、本変形例の接続部２３ｕの後面２３ｎｂには、Ｘ２方向に開放された凹部２３ｕａが設けられている。このような構成によれば、第２部分２３ｔを接続部２３ｕを介して第１方向Ｄ１へ曲げやすい。
【００６８】
なお、上記実施形態では、二つの接続部２３ｕが、左壁２３ｇおよび右壁２３ｈに設けられた例が示されたが、これに限定されない。例えば、一つの接続部２３ｕが上壁２３ｆに設けられていてもよい。
【００６９】
また、上記実施形態では、フロントカバー２３に凹部２３ｖが設けられ、リヤカバー２４に凸部２４ｖが設けられた例が示されたが、これに限定されない。すなわち、リヤカバー２４に、凹部が設けられ、フロントカバー２３に凸部が設けられていてもよい。
【００７０】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００７１】
３…第２モジュール（表示装置）、２１ｄ…後壁（ベース壁）、２２…ディスプレイ、２２ａ…表示画面、２３…フロントカバー（第２部材、表示装置用部材）、２３ｅ…下壁（第２壁）、２３ｆ…上壁（第２壁）、２３ｇ…左壁（第１壁）、２３ｈ…右壁（第１壁）、２３ｏ…開口部、２３ｐ…第１引掛部、２３ｑ…第２引掛部、２３ｓ…第１部分、２３ｔ…第２部分、２３ｕ…接続部、２３ｖ…凹部、２４…リヤカバー（第１部材）、２４ｅ…下立壁（第２立壁）、２４ｆ…上立壁（第２立壁）、２４ｇ…左立壁（第１立壁）、２４ｈ…右立壁（第１立壁）、２４ｐ…第１受部、２４ｑ…第２受部、２４ｖ…凸部。
【要約】
【課題】部品点数を少なくしやすい表示装置を得る。
【解決手段】表示装置は、ディスプレイと、第１部材と、第２部材と、を備える。第１部材は、第１受部と、第２受部と、を有する。第２部材は、第１引掛部と、第２引掛部と、第１部分と、第２部分と、接続部と、を有する。第１引掛部は、第１受部に引っ掛かる。第２引掛部は、第２受部に引っ掛かる。第１部分は、第１引掛部を有する。第２部分は、第２引掛部を有し第１部分と離間している。接続部は、エラストマによって構成され、第１部分と第２部分とを接続している。
【選択図】図１４【図１】
0006955185.tif 000002
【図２】
0006955185.tif 000003
【図３】
0006955185.tif 000004
【図４】
0006955185.tif 000005
【図５】
0006955185.tif 000006
【図６】
0006955185.tif 000007
【図７】
0006955185.tif 000008
【図８】
0006955185.tif 000009
【図９】
0006955185.tif 000010
【図１０】
0006955185.tif 000011
【図１１】
0006955185.tif 000012
【図１２】
0006955185.tif 000013
【図１３】
0006955185.tif 000014
【図１４】
0006955185.tif 000015
【図１５】
0006955185.tif 000016
【図１６】
0006955185.tif 000017
【図１７】
0006955185.tif 000018